(57)【要約】【課題】構造の簡素化を図りつつ、より安定して添加成分を水に混合することのできる水処理用添加剤の添加装置および水処理装置を得る。【解決手段】添加剤２の収納部３と、添加剤２から溶出した添加成分を溜める貯留室４と、温度変化によって貯留室４内の添加成分を放出する温度応答可動部５と、を備える添加装置１Ａとすることで、添加成分を水に混合する添加装置１Ａの構造の簡素化を図った。【選択図】図１
2010274155.tif 000002
【特許請求の範囲】
【請求項１】
添加剤の収納部と、
前記添加剤から溶出した添加成分を溜める貯留室と、
温度変化によって前記貯留室内の添加成分を放出する温度応答可動部と、
を備えることを特徴とする水処理用添加剤の添加装置。
【請求項２】
前記収納部は、略筒状をしているとともに、一端側に液密に摺動自在となる可動閉止部材が設けられるとともに、他端側に水容器への取付部材が設けられており、前記収納部の内部に前記添加剤の収納空間と前記貯留室とが設けられていることを特徴とする請求項１に記載の水処理用添加剤の添加装置。
【請求項３】
前記温度応答可動部は、温度変化に伴って前記収納部を伸縮させることを特徴とする請求項２に記載の水処理用添加剤の添加装置。
【請求項４】
前記可動閉止部材に、添加剤の投入口を設けるとともに、当該投入口を蓋体で着脱自在に閉塞したことを特徴とする請求項２または請求項３に記載の水処理用添加剤の添加装置。
【請求項５】
前記蓋体に、前記貯留室内の添加成分を放出する放出口を設けたことを特徴とする請求項４に記載の水処理用添加剤の添加装置。
【請求項６】
前記添加剤は固形状であり、前記貯留室側が開放されたケース内に装填されていることを特徴とする請求項２〜５のうちいずれか１項に記載の水処理用添加剤の添加装置。
【請求項７】
前記ケースは、開放側に添加剤が飛び出すのを阻止するストッパー部と、当該ケースの底部と添加剤との間に介在して添加剤を開放側に押し出す付勢手段と、を備えることを特徴とする請求項６に記載の水処理用添加剤の添加装置。
【請求項８】
前記添加剤は液状であり、液密性の可撓性袋に充填され、当該可撓性袋を貯留室として用いることを特徴とする請求項２〜５のうちいずれか１項に記載の水処理用添加剤の添加装置。
【請求項９】
前記収納部に前記可撓性袋を装填して使用する際に、中空孔を有する針状突起を前記可撓性袋に貫通し、当該針状突起の中空孔を介して添加剤を放出するようにしたことを特徴とする請求項８に記載の水処理用添加剤の添加装置。
【請求項１０】
請求項１〜９のうちいずれか１項に記載の添加装置を用いたことを特徴とする水処理装置。
【発明の詳細な説明】
【技術分野】
【０００１】
本発明は、水処理用添加剤の添加装置およびその添加装置を用いた水処理装置に関する。
【背景技術】
【０００２】
従来、水処理装置として、冷蔵庫で水を冷却する間に、水道水などの原水にミネラル分（添加成分）を添加できるようにしたものが知られている（たとえば、特許文献１参照）。
【０００３】
この特許文献１に記載の水処理装置では、浄水処理装置を配設した水タンクで浄化された冷水を受け皿で一旦受取り、その受け皿で冷水中のミネラル分を調整するようにしている。この受け皿には、主水路とバイパス水路が設けられており、バイパス水路にミネラル調整装置が接続されている。
【先行技術文献】
【特許文献】
【０００４】
【特許文献１】特開平７−２４８１７０号公報
【発明の概要】
【発明が解決しようとする課題】
【０００５】
しかしながら、かかる従来の技術では、水タンクや受け皿を設け、受け皿に主水路と、ミネラル調整装置を接続したバイパス水路と、を設けることで、原水にミネラル分（添加成分）を添加するようにしているため、装置の構造が複雑化してしまう。
【０００６】
そこで、本発明は、構造の簡素化を図りつつ、より安定して添加成分を水に混合することのできる水処理用添加剤の添加装置および水処理装置を得ることを目的とする。
【課題を解決するための手段】
【０００７】
請求項１の発明にあっては、添加剤の収納部と、前記添加剤から溶出した添加成分を溜める貯留室と、温度変化によって前記貯留室内の添加成分を放出する温度応答可動部と、を備えることを特徴とする。
【０００８】
請求項２の発明にあっては、請求項１に記載の水処理用添加剤の添加装置において、前記収納部は、略筒状をしているとともに、一端側に液密に摺動自在となる可動閉止部材が設けられるとともに、他端側に水容器への取付部材が設けられており、前記収納部の内部に前記添加剤の収納空間と前記貯留室とが設けられていることを特徴とする。
【０００９】
請求項３の発明にあっては、請求項２に記載の水処理用添加剤の添加装置において、前記温度応答可動部は、温度変化に伴って前記収納部を伸縮させることを特徴とする。
【００１０】
請求項４の発明にあっては、請求項２または請求項３に記載の水処理用添加剤の添加装置において、前記可動閉止部材に、添加剤の投入口を設けるとともに、当該投入口を蓋体で着脱自在に閉塞したことを特徴とする。
【００１１】
請求項５の発明にあっては、請求項４に記載の水処理用添加剤の添加装置において、前記蓋体に、前記貯留室内の添加成分を放出する放出口を設けたことを特徴とする。
【００１２】
請求項６の発明にあっては、請求項２〜５のうちいずれか１項に記載の水処理用添加剤の添加装置において、前記添加剤は固形状であり、前記貯留室側が開放されたケース内に装填されていることを特徴とする。
【００１３】
請求項７の発明にあっては、請求項６に記載の水処理用添加剤の添加装置において、前記ケースは、開放側に添加剤が飛び出すのを阻止するストッパー部と、当該ケースの底部と添加剤との間に介在して添加剤を開放側に押し出す付勢手段と、を備えることを特徴とする。
【００１４】
請求項８の発明にあっては、請求項２〜５のうちいずれか１項に記載の水処理用添加剤の添加装置において、前記添加剤は液状であり、液密性の可撓性袋に充填され、当該可撓性袋を貯留室として用いることを特徴とする。
【００１５】
請求項９の発明にあっては、請求項８に記載の水処理用添加剤の添加装置において、前記収納部に前記可撓性袋を装填して使用する際に、中空孔を有する針状突起を前記可撓性袋に貫通し、当該針状突起の中空孔を介して添加剤を放出するようにしたことを特徴とする。
【００１６】
請求項１０の発明にあっては、請求項１〜９のうちいずれか１項に記載の添加装置を用いた水処理装置である。
【発明の効果】
【００１７】
請求項１の発明によれば、収納部、貯留室および温度応答可動部を備え、温度変化に伴って温度応答可動部により貯留室内の添加成分が放出されるようにしたため、添加装置の構造の簡素化を図りつつ放出された添加成分を安定して水に混合させることができる。
【００１８】
請求項２の発明によれば、略筒状の収納部の内部に添加剤の収納空間と貯留室とを設けたため、収納部の構造をより簡素化することができる。
【００１９】
請求項３の発明によれば、温度応答可動部によって収納部を伸縮させるようにしたため、添加装置の構造のさらなる簡素化を図ることができる。
【００２０】
請求項４の発明によれば、可動閉止部材に、蓋体で着脱自在に閉塞される添加剤の投入口を設けたので、蓋体を取り外すのみで簡単に添加剤を収納部内に投入できるようになる。
【００２１】
請求項５の発明によれば、蓋体に、貯留室内の添加成分を放出する放出口を設けたため、放出口の径変化を行いたい時に蓋体のみを交換すればよく、添加成分の放出量の調整を簡単かつ安価に行うことができるようになる。
【００２２】
請求項６の発明によれば、固形状の添加剤を貯留室側が開放されたケース内に装填しているため、添加剤の流通過程での取り扱いが容易になるとともに、ケースの開放側から添加剤の溶解成分を効率よく貯留室に供給できるようになる。
【００２３】
請求項７の発明によれば、ケースは、開放側に添加剤が飛び出すのを阻止するストッパー部と、ケースの底部と添加剤との間に介在して添加剤を開放側に押し出す付勢手段と、を備えているため、添加剤が溶解して小さくなった場合であっても付勢手段により常にストッパー部に押し付けられた状態となる。これにより、添加剤は常にケースの開放側に位置した面が溶解面となるため、溶解面積および貯留室の容積をほぼ一定とすることができる。その結果、貯留室内の添加剤濃度をほぼ一定にでき、より安定した量の添加剤を放出することができるようになる。
【００２４】
請求項８の発明によれば、液状となった添加剤を液密性の可撓性袋に充填したため、添加剤が液状であるにもかかわらず流通過程での取り扱いが容易になる。また、可撓性袋が貯留室を兼用するので、可撓性袋から直接に添加剤を放出することができ、ほぼ一定の量を放出することができる。
【００２５】
請求項９の発明によれば、可撓性袋を収納部に装填して使用する際に、中空孔を有する針状突起で可撓性袋を貫通し、当該針状突起の中空孔を介して添加剤を放出するようにしたため、液状の添加剤の取り扱いをさらに容易にすることができる。
【００２６】
請求項１０の発明によれば、構造の簡素化を図りつつ、より安定して添加成分を水に混合することのできる水処理装置を得ることができる。
【図面の簡単な説明】
【００２７】
【図１】図１は、本発明の第１実施形態にかかる水処理装置の模式図である。
【図２】図２は、本発明の第１実施形態にかかる添加装置を（ａ）の平面図と（ｂ）の取付け前の状態の側面図とで示す模式図である。
【図３】図３は、図２に示す添加装置の機能を（ａ）〜（ｃ）に順を追って説明する模式図である。
【図４】図４は、本発明の第２実施形態にかかる添加装置の添加剤を投入する状態を模式的に示す側面図である。
【図５】図５は、図４に示す添加剤のケースを斜め上方から見た斜視図である。
【図６】図６は、図４に示す添加装置に添加剤をセットした状態を模式的に示す断面図である。
【図７】図７は、本発明の第２実施形態にかかる添加装置の添加剤を投入する状態を模式的に示す側面図である。
【図８】図８は、図７に示す添加装置に用いられる蓋体の拡大断面図である。
【図９】図９は、図７に示す添加装置の機能を（ａ）〜（ｃ）に順を追って説明する模式図である。
【発明を実施するための形態】
【００２８】
以下、本発明の実施形態について図面を参照しながら詳細に説明する。なお、以下の複数の実施形態には、同様の構成要素が含まれている。よって、以下では、それら同様の構成要素には共通の符号を付与するとともに、重複する説明を省略する。
【００２９】
（第１実施形態）図１〜図３は、本発明にかかる水処理用添加剤の添加装置および水処理装置の第１実施形態を示している。
【００３０】
まず、添加装置１Ａの概要を説明する。
【００３１】
本実施形態にかかる添加装置１Ａは、水に添加成分を添加する添加剤２の収納部３と、添加剤２から溶出した添加成分を溜める貯留室４と、温度変化によって貯留室４内の添加成分を放出する温度応答可動部５と、を備えている。そして、この添加装置１Ａは水容器６の底部６ａに着脱自在に装着される。このように、添加装置１Ａを装着した水容器６を含めた全体が水処理装置１０となる。
【００３２】
収納部３は、一端側に液密に摺動自在となる可動閉止部材３１が設けられるとともに、他端側に水容器６の底部６ａへの取付部材３２が設けられており、全体的にほぼ筒状をなしている。そして、収納部３の他端側内部を添加剤２の収納空間とするとともに、一端側内部を貯留室４としている。
【００３３】
そして、水容器６の底部６ａに上述の添加装置１Ａを装着した状態で、水容器６内に添加装置１Ａ全体が浸漬されるように水を注水し、これを冷蔵庫などに保存する。なお、予め冷却した水を注水した後に冷蔵庫などで保存するようにしてもよい。
【００３４】
このとき、可動閉止部材３１には、貯留室４内の添加成分を放出する放出口７が形成されており、この放出口７を介して水容器６内の水が収納部３内に侵入して添加剤２と接触する。
【００３５】
このように、添加剤２が水と接触することにより、添加剤２は溶解して添加成分が貯留室４内に溜められていき高濃度化される。このとき、添加成分が貯留室４内で飽和濃度に達するまで添加剤２を溶解するようにするのが好ましい。また、この場合に添加する添加剤２の成分としては、低温で溶解が促進される重曹などのミネラル成分や低温で安定性を高めることのできるヒアルロン酸などのコラーゲンを用いるのが好ましい。
【００３６】
そして、水処理装置１０を冷蔵庫に保存しておくことにより、水が冷却されて温度が低下すると、添加装置１Ａの温度応答可動部５が作動して可動閉止部材３１が引き下げられる。すると、貯留室４内の容積が収縮して、内部の高濃度化された添加成分が放出口７から放出され、水容器６内の水に混合して活水化する。
【００３７】
そして、水処理装置１０を冷蔵庫から取り出し、活水化した水をコップ等に注ぐことによりミネラル分等を含んだ冷水を飲用することができる。なお、水容器６内の活水がなくなったとしても、添加剤２が残存する限り、水容器６に注水した原水を活水化することができ、繰り返し使用が可能である。
【００３８】
次に、本実施形態にかかる添加装置１Ａおよび水処理装置１０の具体的な構成を説明する。
【００３９】
図１に示すように、本実施形態にかかる水処理装置１０の水容器６は、断面略楕円状をしており、底部６ａから上端の注ぎ口６ｂに向かって拡幅するテーパ状のポット形をしている。そして、水容器６の長軸方向の一方側（図１中右側）側面の上部には取手６１が設けられており、長軸方向の他方側（図１中左側）が水の注ぎ方向（矢印ａ）となっている。このように、水容器６の断面を扁平な楕円形状とすることにより、冷蔵庫のドア側収納部へ容易に収納できるようにしている。なお、注ぎ口６ｂは、開閉自在な蓋やキャップで覆われることが好ましい。
【００４０】
そして、水容器６の底部６ａには、添加装置１Ａが着脱自在に装着される。
【００４１】
この添加装置１Ａは、筒状の収納部３の一端側（上端側）の外周に、可動閉止部材３１が液密に摺動自在に嵌合されるとともに、他端側（下端側）の外周に取付部材３２が固定されており、これら対向した可動閉止部材３１と取付部材３２との間に、温度応答可動部としての温度感応コイル５１が取り付けられている。なお、本実施形態では、収納部３の側部に蛇腹部３８を設けることで収納部３が伸縮できるようにしている。
【００４２】
温度感応コイル５１は、筒状となった収納部３の蛇腹部３８の外周を取り巻くように螺旋状に形成され、温度に応じて伸縮する部材または機構で形成されている。そして、温度感応コイル５１の一端部が可動閉止部材３１に固定されるとともに、他端部が取付部材３２に固定される。
【００４３】
本実施形態では、この温度感応コイル５１は、外側に膨張率が小さい金属、内側に膨張率が大きい金属が配置されるように一体に結合することで形成されており、バイメタルの要領で高温時には伸長された状態となり、低温時には短縮された状態となるように形成されている。
【００４４】
なお、温度感応コイル５１として、温度変化により収縮する形状記憶合金や温度応答性樹脂などを用いることも可能である。
【００４５】
上述した可動閉止部材３１には、図２（ａ）に示すように、蓋体３３で着脱自在に閉塞される添加剤２Ａの投入口３４が設けられている。そして、投入口３４の内周には雌ねじが切られている一方、蓋体３３の外周には雄ねじが切られており、これら両ねじ部を互いに螺合して締め付けることにより、蓋体３３が投入口３４を液密に密閉するようになっている。このとき、蓋体３３の上面には、開閉時に容易に回転できるように凸部３３ａ（凹部でもよい）が設けられている。
【００４６】
また、蓋体３３には、貯留室４内の添加成分を放出する放出口７が設けられている。本実施形態では、放出口７は、図１（ａ）に示すように、蓋体３３の外周部に位置しており、水の取出し方向（矢印ａ）に対してほぼ一直線上に２箇所設けられている。
【００４７】
また、可動閉止部材３１に対向した取付部材３２は、図２（ｂ）に示すように、中央部に取付穴３５が形成されるとともに、水容器６の底部６ａに取付座３６が設けられる。この取付穴３５の内周には雌ねじが切られる一方、取付座３６の外周には雄ねじが切られており、これら両ねじ部を互いに螺合して締め付けることにより、図１（ｂ）に示すように、収納部３を水容器６に着脱自在に装着できるようにしている。
【００４８】
なお、本実施形態では、投入口３４と取付穴３５とを収納部３の内径とほぼ同径とすることにより、収納部３を筒状に形成しているため、収納部３を上下逆にしても水容器６に着脱自在に装着できるようになっている。
【００４９】
ところで、本実施形態の添加装置１Ａに用いられる添加剤２Ａは固形状であり、図３（ａ）に示すように、貯留室４側が開放された有底筒状のケース２１内に装填されている。
【００５０】
したがって、添加装置１Ａに添加剤２Ａをセットするには、まず、図３（ａ）に示すように、水容器６の底部６ａ（図１参照）に収納部３を装着した状態で、可動閉止部材３１から蓋体３３を取り外しておき、その蓋体３３を取り外した投入口３４からケース２１に装填された添加剤２Ａを投入する。
【００５１】
その後、図３（ｂ）に示すように、投入口３４を蓋体３３で密閉して、水容器６内に原水を注水して添加装置１Ａを浸漬する。この浸漬状態で、水容器６内には、放出口７から水が侵入して添加剤２Ａと接触し、溶解した添加成分を貯留室４に溜める。
【００５２】
そして、冷却された水容器６内の水を介して温度感応コイル５１の温度が低下すると、図３（ｃ）に示すように、温度感応コイル５１が収縮して収納部３の蛇腹部３８を収縮させる。すなわち、温度感応コイル５１が収縮することによって可動閉止部材３１が引き下げられ、これにより、貯留室４内の容積が収縮して、貯留室４内の高濃度化された添加成分が放出口７から放出され、添加成分が水容器６内の原水に混合して活水化する。
【００５３】
以上の本実施形態によれば、添加装置１Ａを、添加剤２Ａの収納部３と、高濃度化した添加成分を溜める貯留室４と、冷却により貯留室４内の添加成分を放出する温度感応コイル５１と、を備える構成としたため、添加装置１Ａの構造の簡素化を図りつつ、放出された添加成分をより安定して水容器６の水に混合させることができる。
【００５４】
また、収納部３の内部に添加剤２Ａの収納空間と貯留室４とを設け、略筒状としたので、収納部３の構造をより簡素化してメンテナンスを容易に行うことができる。
【００５５】
また、添加装置１Ａを水容器の底部６ａに着脱自在に装着したため、添加装置１Ａを水容器６から取り外すことにより水容器６のメンテナンスをも簡単に行えるようになる。
【００５６】
さらに、貯留室４の容積を収縮させる温度応答可動部を、温度変化に伴って伸縮する温度感応コイル５１で形成したことにより、比較的簡素な構造で確実に貯留室４の内容積を収縮させることができ、かつ、温度変化に対する伸縮量をほぼ比例させることができるようになるため、安定して添加成分を放出することができる。なお、温度感応コイル５１は、室温に戻すことにより元の位置に復帰するので、繰り返して使用することができる。さらに、温度感応コイル５１は構造が簡単であるため、故障頻度を大幅に低減することができるという利点もある。
【００５７】
さらにまた、可動閉止部材３１に、蓋体３３で着脱自在に閉塞される添加剤２Ａの投入口３４を設けたので、蓋体３３を取り外すのみで簡単に添加剤２Ａを収納部３内に投入できる。
【００５８】
また、蓋体３３に、貯留室４内の添加成分を放出する放出口７を設けたため、この放出口７の穴径を変化させたい場合に、放出口７の径変化を蓋体３３のみの交換で対応させることができ、添加成分の放出量の調整を簡単かつ安価に行うことができる。
【００５９】
さらに、２箇所の放出口７を、水の取出し方向に対してほぼ一直線上に位置するように設けたので、水容器６を傾けて水を取出す際に、上方の放出口７が空気の導入口となり、下方が水の排出口となって、収納部３内の水をより多く排出できるようになり、収納部３内に水が残留するのを抑制することができる。これにより、収納部３内を清潔に保つことができるとともに、残った添加剤２Ａの以後の溶解を安定させ易くなる。
【００６０】
さらにまた、添加剤２Ａを固形状として、貯留室４側が開放された有底筒状のケース２１内に装填したので、添加剤２Ａの流通過程での取り扱いが容易になるとともに、ケース２１の開放側から添加剤２Ａの溶解成分を効率よく貯留室４に供給できるようになる。
【００６１】
（第２実施形態）図４〜図６は、本発明の第２実施形態を示している。
【００６２】
本実施形態にかかる添加装置１Ｂは、基本的に上記第１実施形態とほぼ同様であり、固形状の添加剤２Ａをケース２１に装填して用いるようになっている。
【００６３】
ここで、本実施形態が上記第１実施形態と主に異なる点は、図４に示すように、ケース２１の開放側に、添加剤２Ａが飛び出すのを阻止するストッパー部としての返しリブ２２を設けるとともに、このケース２１の底部２１ａと添加剤２Ａとの間に、添加剤２Ａを開放側に押し出す付勢手段としての圧縮スプリング２３を介在させたことにある。
【００６４】
返しリブ２２は、図５に示すように、ケース２１の開放側端部を内方に折曲して形成されており、返しリブ２２の内周がケース２１の外周とほぼ同心円状に開口（開口部２２ａ）している。
【００６５】
また、図６に示すように、蓋体３３の内周には、可動閉止部材３１が所定量下降した際に、返しリブ２２に当接する突起部３７が設けられており、この突起部３７によって可動閉止部材３１の下降量を制限し、これによって、貯留室４内の添加成分の放出量がほぼ一定となるようにしている。
【００６６】
以上の本実施形態によれば、添加剤２Ａが収納部３内に侵入した水と接触して溶解した場合でも、圧縮スプリング２３により押し上げられるため、常に返しリブ２２に押し付けられた状態となる。そのため、添加剤２Ａは常にケース２１の開放側の面（上面）が溶解面となり、その溶解面積がほぼ一定となるとともに、同一温度における貯留室４の容積がほぼ一定となる。
【００６７】
したがって、貯留室４内の添加成分の濃度をほぼ一定にすることが可能となり、より安定した量の添加成分を放出することができるようになる。
【００６８】
（第３実施形態）図７〜図９は、本発明の第３実施形態を示している。
【００６９】
本実施形態にかかる添加装置１Ｃは、基本的に上記第１実施形態とほぼ同様に、蓋体３３を取り外した投入口３４から添加剤２Ｂを収納部３内に装填し、その後、蓋体３３で投入口３４を密閉するようになっている。
【００７０】
ここで、本実施形態が上記第１実施形態と主に異なる点は、液状の添加剤２Ｂが軟質の高分子樹脂などで形成された液密性の可撓性袋２４に充填されており、この可撓性袋２４を貯留室として用いたことにある。この場合、液状の添加剤２Ｂを充填した可撓性袋２４は、その外形が収納部３の内径にほぼ沿った短柱状となることが好ましい。
【００７１】
そして、収納部３に装填して使用する際には、図８および図９に示すように、中空孔８１を有する針状突起８で可撓性袋２４の一部を貫通し、その針状突起８の中空孔８１を介して添加剤２Ｂが放出されるようにしている。
【００７２】
針状突起８は、図８に示すように、蓋体３３の中央部に貫通して固定されており、蓋体３３から尖端８ａが形成された下部が寸法Ｌだけ下方に突出している。つまり、針状突起８が下方に突出する寸法Ｌは、図９に示すように、蓋体３３で投入口３４を密閉した際に、針状突起８の尖端８ａが可撓性袋２４の上面を突き刺して、可撓性袋２４の内部に到達する長さに設定される。このとき、可動閉止部材３１の下降に伴って下降する針状突起８が最も下降した状態であっても、針状突起８の尖端８ａが可撓性袋２４の底面に到達しないようにするのが望ましい。
【００７３】
また、針状突起８を設けた蓋体３３は、図８に示すように、針状突起８の側方に水取入穴３３ｂが形成されており、水取入穴３３ｂには収納部３の内方から排出される水の通過を阻止する第１の逆止弁９が設けられている。
【００７４】
また、針状突起８が蓋体３３の上方に突出した端部の中空孔８１には、可撓性袋２４内の添加剤２Ｂを排出する方向のみの通過を許容する第２の逆止弁９１が設けられている。なお、本実施形態では、蓋体３３には、上記第１・第２実施形態に示した放出口７は設けられていない。
【００７５】
したがって、本実施形態では、添加装置１Ｃに添加剤２Ｂをセットするには、まず、図７に示すように、水容器６の底部６ａ（図１参照）に収納部３を装着した状態で、可動閉止部材３１から蓋体３３を取り外しておき、蓋体３３を取り外した投入口３４から液状の添加剤２Ｂを充填した可撓性袋２４を装填する。
【００７６】
その後、図９（ａ）に示すように、投入口３４を蓋体３３で密閉して、水容器６内に原水を注水する。このとき、第１の逆止弁９が開弁して水取入穴３３ｂから収納部３内に水が流入し、収納部３内に水が満たされる。また、蓋体３３で投入口３４を密閉する際、針状突起８が可撓性袋２４を突き刺して尖端８ａが添加剤２Ｂ内に進入する。
【００７７】
この状態で、原水を注水した水容器６を冷蔵庫に保存し、図９（ｂ）に示すように、温度低下に伴って温度感応コイル５１が収縮して可動閉止部材３１を引き下げると、第１の逆止弁９が閉弁しているため、収納部３内の水は外部に流出せず、収納部３内の水圧が高まる。その結果、可撓性袋２４内の添加剤２Ｂの圧力も高まり、可撓性袋２４内の添加剤２Ｂは、第２の逆止弁９１を開弁させつつ針状突起８の中空孔８１から放出され、添加剤２Ｂが水容器６内の原水に混合されて活水化する。
【００７８】
また、別の形態として、当初は、可撓性袋２４が収納部３に上部に隙間なく密着して収められるようにしてもよい。このような構成としても本実施形態と同様の作用、効果を奏することができる。
【００７９】
以上の本実施形態によれば、液状となった添加剤２Ｂを液密性の可撓性袋２４に充填したため、添加剤２Ｂが液状であるにもかかわらず流通過程での取り扱いが容易になる。
【００８０】
また、可撓性袋２４が貯留室を兼用するので、可撓性袋２４から直接に添加剤２Ｂを放出することができる。
【００８１】
また、収納部３に可撓性袋２４を装填して使用する際に、中空孔８１を有する針状突起８で可撓性袋２４の一部を貫通し、針状突起８の中空孔８１を介して添加剤２Ｂを放出させるようにしたため、液状の添加剤２Ｂの取り扱いをさらに容易にできる。
【００８２】
ところで、本明細書では、上記第１実施形態で添加装置１Ａを用いた水処理装置１０を示したが、第２・第３実施形態にあっても、添加装置１Ｂおよび１Ｃを用いて水処理装置１０を構成することができ、このように各実施形態に応じた水処理装置１０を構成することにより、それぞれの添加装置１Ａ、１Ｂ、１Ｃの効果を発揮しつつ、添加成分を混合した活水を安定的に供給することができる水処理装置１０を得ることができる。
【００８３】
以上、本発明の好適な実施形態について説明したが、本発明は上記実施形態には限定されず、種々の変形が可能である。
【００８４】
たとえば、上記各実施形態においては、温度応答可動部は、常温から低温に温度変化した時に添加成分を放出するように設定されているが、常温から高温に温度変化した場合に添加成分が放出されるように設定することも可能である。
【００８５】
また、温度変化により収納部に設けた閉止部材が開くことで添加成分を放出させるようにしてよく、また、収納部が内圧の上昇により自己破壊することで添加成分を放出させるようにしてもよい。
【００８６】
また、温度応答可動部としてコイル状のバイメタル等を例示したが、帯状のバイメタル等を用いて収納部を伸縮させるようにしてもよい。
【符号の説明】
【００８７】
１Ａ、１Ｂ、１Ｃ  添加装置
２、２Ａ、２Ｂ  添加剤
２１  ケース
２２  返しリブ（ストッパー部）
２３  圧縮スプリング（付勢手段）
２４  可撓性袋
３  収納部
３１  可動閉止部材
３２  取付部材
３３  蓋体
３４  投入口
４  貯留室
５  温度応答可動部
５１  温度感応コイル（温度応答可動部）
６  水容器
６ａ  水容器の底部
７  放出口
８  針状突起
８１  中空孔
１０  水処理装置
【図１】
2010274155.tif 000003
【図２】
2010274155.tif 000004
【図３】
2010274155.tif 000005
【図４】
2010274155.tif 000006
【図５】
2010274155.tif 000007
【図６】
2010274155.tif 000008
【図７】
2010274155.tif 000009
【図８】
2010274155.tif 000010
【図９】
2010274155.tif 000011